(57)【要約】【課題】複数の周波数帯域の送信信号および受信信号を処理でき、且つ各信号の経路における各通過特性が良好になるように設定できる高周波モジュールを実現する。【解決手段】高周波モジュール１は、アンテナ端子ＡＮＴ１，ＡＮＴ２に接続されたスイッチ回路１０と、スイッチ回路１０に接続された２つのダイプレクサ１１，１２を備えている。ダイプレクサ１１，１２は、それぞれ、２つのバンドパスフィルタ（ＢＰＦ）２０，３０；５０，６０を有している。ダイプレクサ１１は、信号経路の分岐点Ｎ１とＢＰＦ２０との間に設けられたキャパシタ１５と、分岐点Ｎ１とＢＰＦ３０との間に設けられたキャパシタ８３とを有している。ダイプレクサ１２は、信号経路の分岐点Ｎ２とＢＰＦ５０との間に設けられたキャパシタ１６と、分岐点Ｎ２とＢＰＦ６０との間に設けられたキャパシタ９３とを有している。【選択図】図１
2006140863.tif 000002
【特許請求の範囲】
【請求項１】
アンテナに接続されるアンテナ端子と、
それぞれ、第１の周波数帯域における信号と前記第１の周波数帯域よりも高周波側の第２の周波数帯域における信号とを分離する複数のダイプレクサと、
前記アンテナ端子に対して前記複数のダイプレクサのいずれかを接続するスイッチ回路と、
上記各要素を一体化する基板とを備え、
前記スイッチ回路は、状態の切り替えを制御するための制御信号が入力されるものであり、
前記各ダイプレクサは、第１ないし第３のポートと、第１のポートと第２のポートとの間に設けられ、第１の周波数帯域における信号を通過させる第１のフィルタと、第１のポートと第３のポートとの間に設けられ、第２の周波数帯域における信号を通過させる第２のフィルタとを有し、第１のポートは前記スイッチ回路に接続され、
前記各ダイプレクサは、更に、第１のポートから見た第１のフィルタへの信号経路と第２のフィルタへの信号経路との分岐点と、前記分岐点と第１のフィルタとの間に設けられ、前記制御信号に起因する直流の通過を阻止する第１のキャパシタと、前記分岐点と第２のフィルタとの間に設けられ、前記制御信号に起因する直流の通過を阻止する第２のキャパシタとを有することを特徴とする高周波モジュール。
【請求項２】
前記複数のダイプレクサのうちの１つにおいて、第１のポートには、前記アンテナ端子に入力され前記スイッチ回路を通過した第１および第２の周波数帯域における各受信信号が入力され、第１のフィルタは、第１の周波数帯域における受信信号を通過させ、第２のポートは、第１の周波数帯域における受信信号を出力し、第２のフィルタは、第２の周波数帯域における受信信号を通過させ、第３のポートは、第２の周波数帯域における受信信号を出力し、
前記複数のダイプレクサのうちの他の１つにおいて、第２のポートには、第１の周波数帯域における送信信号が入力され、第１のフィルタは、第１の周波数帯域における送信信号を通過させ、第３のポートには、第２の周波数帯域における送信信号が入力され、第２のフィルタは、第２の周波数帯域における送信信号を通過させ、第１のポートは、第１および第２の周波数帯域における各送信信号を出力することを特徴とする請求項１記載の高周波モジュール。
【請求項３】
前記アンテナ端子として第１および第２のアンテナ端子を備え、前記スイッチ回路は、前記複数のダイプレクサのいずれかを、前記第１および第２のアンテナ端子のいずれかに接続することを特徴とする請求項１または２記載の高周波モジュール。
【請求項４】
前記第１のキャパシタのキャパシタンスは、前記第２のキャパシタのキャパシタンスよりも大きいことを特徴とする請求項１ないし３のいずれかに記載の高周波モジュール。
【請求項５】
前記第１のキャパシタのキャパシタンスは、１０ｐＦ〜１００ｐＦの範囲内であることを特徴とする請求項４記載の高周波モジュール。
【請求項６】
前記基板は、交互に積層された誘電体層と導体層とを含む積層基板であり、前記第１のキャパシタは、前記積層基板に搭載され、前記第２のキャパシタは、前記誘電体層と導体層を用いて構成されていることを特徴とする請求項４または５記載の高周波モジュール。
【請求項７】
前記スイッチ回路は、前記基板に搭載されていることを特徴とする請求項１ないし６のいずれかに記載の高周波モジュール。
【請求項８】
前記スイッチ回路は、ＧａＡｓ化合物半導体による電界効果トランジスタを用いて構成されていることを特徴とする請求項１ないし７のいずれかに記載の高周波モジュール。
【請求項９】
前記基板は、低温同時焼成セラミック多層基板であり、
前記基板には、前記各ダイプレクサを構成する複数のインダクタンス素子およびキャパシタンス素子が内蔵され、
スイッチ回路は、前記基板に搭載され、
高周波モジュールは、更に、前記各ダイプレクサを外部回路に接続するための複数の信号端子と、グランドに接続されるグランド端子とを備え、前記アンテナ端子、信号端子およびグランド端子は、前記基板の外周面に形成されていることを特徴とする請求項８記載の高周波モジュール。
【請求項１０】
前記各フィルタは、いずれもバンドパスフィルタであることを特徴とする請求項１ないし９のいずれかに記載の高周波モジュール。
【請求項１１】
前記各バンドパスフィルタは、共振回路を用いて構成されていることを特徴とする請求項１０記載の高周波モジュール。
【請求項１２】
前記基板は、交互に積層された誘電体層と導体層とを含む積層基板であり、各共振回路は、前記誘電体層と導体層を用いて構成されていることを特徴とする請求項１１記載の高周波モジュール。
【請求項１３】
前記各共振回路は、前記導体層を用いて構成された分布定数線路を含むことを特徴とする請求項１２記載の高周波モジュール。
【請求項１４】
前記各共振回路は、前記導体層を用いて構成されインダクタンスを有する伝送線路を含み、
前記各ダイプレクサにおいて、前記第１のフィルタにおける共振回路に含まれる前記伝送線路の長手方向と前記第２のフィルタにおける共振回路に含まれる前記伝送線路の長手方向は直交していることを特徴とする請求項１２または１３記載の高周波モジュール。
【請求項１５】
前記各ダイプレクサは、更に、前記第２のフィルタに直列に接続され、第２の周波数帯域における信号を通過させるローパスフィルタを有することを特徴とする請求項１０ないし１４のいずれかに記載の高周波モジュール。
【発明の詳細な説明】
【技術分野】
【０００１】
本発明は、例えば無線ＬＡＮ（ローカルエリアネットワーク）用の通信装置に用いられる高周波モジュールに関する。
【背景技術】
【０００２】
近年、簡単にネットワーク構築できる技術として、電波を用いてＬＡＮを構成する無線ＬＡＮが注目されている。この無線ＬＡＮには、周波数帯域として２．４ＧＨｚ帯を使用するＩＥＥＥ８０２．１１ｂや、周波数帯域として５ＧＨｚ帯を使用するＩＥＥＥ８０２．１１ａおよびＩＥＥＥ８０２．１１ｇのように、複数の規格が存在している。そのため、無線ＬＡＮ用の通信装置としては、複数の規格に対応できるものが望まれている。
【０００３】
また、無線ＬＡＮでは、通信装置の位置や環境によって通信状態が変動することから、複数のアンテナのうちの通信状態の良い方を選択するダイバシティを採用することが望ましい。
【０００４】
ところで、無線ＬＡＮ用の通信装置において、アンテナに接続され、高周波信号を処理する回路部分（以下、高周波回路部という。）は、例えば、カード型のアダプタに内蔵される。また、無線ＬＡＮ用の通信装置は、携帯電話機等の移動体通信機器に搭載することも期待されている。これらのことから、高周波回路部の小型化が望まれている。
【０００５】
携帯電話機等の移動体通信機器では、複数の周波数帯域に対応可能な高周波回路部をモジュール化したものが知られている。例えば、特許文献１には、２つのダイプレクサと１つのスイッチ回路とを含むモジュールが記載されている。このモジュールにおいて、スイッチ回路は、１つのアンテナに対して、２つのダイプレクサのうちの一方を切り替えて接続する。各ダイプレクサは、異なる周波数帯域の２つの信号を分離する。
【０００６】
また、特許文献２には、一般的なダイプレクサとして、ローパスフィルタとハイパスフィルタを組み合わせて構成されたものが記載されている。
【０００７】
また、特許文献３には、ＧａＡｓ電界効果トランジスタを用いたスイッチ回路が記載されている。このスイッチ回路において、送信信号や受信信号が通過する各端子に、直流阻止用のキャパシタを介して、送信部や受信部が接続されるようになっている。
【０００８】
また、特許文献４および特許文献５には、送信信号と受信信号を分離するデュプレクサを含むモジュールが記載されている。このモジュールは、２つのバンドパスフィルタを有し、これらは、複数の絶縁層と複数のインダクタ導体と複数のコンデンサ導体とを積み重ねて構成した積層体におけるインダクタ導体とコンデンサ導体によって構成されている。また、特許文献４および特許文献５には、一方のバンドパスフィルタを構成するインダクタ導体の軸と他方のバンドパスフィルタを構成するインダクタ導体の軸とを直交させる技術が記載されている。また、特許文献４および特許文献５には、上記の技術が適用されるモジュールの他の例として、ダイプレクサが挙げられている。特許文献４および特許文献５には、ダイプレクサは、例えばローパスフィルタとハイパスフィルタを組み合わせて構成される旨が記載されている。
【０００９】
【特許文献１】特開２００３−１５２５８８号公報
【特許文献２】特開２０００−３４９５８１号公報
【特許文献３】特開平１１−５５１５６号公報
【特許文献４】特開２００１−１３６０４５号公報
【特許文献５】特開２００１−１１９２０９号公報
【発明の開示】
【発明が解決しようとする課題】
【００１０】
前述のように、無線ＬＡＮ用の通信装置は、使用周波数帯域の異なる複数の規格に対応できることが望まれる。このことから、無線ＬＡＮ用の通信装置における高周波回路部としては、複数の周波数帯域の送信信号および受信信号を処理できることが望まれる。そのための高周波回路部の構成としては、それぞれ、互いに異なる２つの周波数帯域における各信号を分離する複数のダイプレクサと、アンテナ端子に対して複数のダイプレクサのいずれかを接続するスイッチ回路とを備えた構成が考えられる。この場合、スイッチ回路には、状態の切り替えを制御するための直流の制御信号が印加される。ダイプレクサには、制御信号に起因した直流が流れ込まないようにする必要がある。そのためには、特許文献３に記載されているように、スイッチ回路における、送信信号や受信信号が通過する各端子に、直流阻止用のキャパシタを介して、送信信号や受信信号を処理する回路を接続することが考えられる。
【００１１】
ここで、スイッチ回路における、送信信号や受信信号が通過する各端子に、直流阻止用のキャパシタを介して、送信信号や受信信号を処理する回路としてダイプレクサを接続した構成を考える。この構成では、以下のような問題点がある。ダイプレクサは、前述のように、互いに異なる２つの周波数帯域における各信号を分離するものである。スイッチ回路とダイプレクサの間に直流阻止用のキャパシタが設けられていると、このキャパシタは、ダイプレクサにおいて、２つの周波数帯域に対応した２つの信号の経路における各通過特性に影響を与える。問題点というのは、この２つの信号の経路における各通過特性が両方とも良好になるように、直流阻止用のキャパシタのキャパシタンスの値を設定することが難しいことである。すなわち、一方の経路における通過特性が良好になるようにキャパシタのキャパシタンスの値を設定すると、他方の経路における通過特性が悪化する。２つの経路における各通過特性のバランスが取れるようにキャパシタのキャパシタンスの値を設定すると、２つの信号の経路における各通過特性が両方とも、多少劣ったものとなってしまう。
【００１２】
本発明はかかる問題点に鑑みてなされたもので、その目的は、複数の周波数帯域の送信信号および受信信号を処理でき、且つ各信号の経路における各通過特性が良好になるように設定できるようにした高周波モジュールを提供することにある。
【課題を解決するための手段】
【００１３】
本発明の高周波モジュールは、
アンテナに接続されるアンテナ端子と、
それぞれ、第１の周波数帯域における信号と第１の周波数帯域よりも高周波側の第２の周波数帯域における信号とを分離する複数のダイプレクサと、
アンテナ端子に対して複数のダイプレクサのいずれかを接続するスイッチ回路と、
上記各要素を一体化する基板とを備えている。
【００１４】
本発明の高周波モジュールにおいて、スイッチ回路には、状態の切り替えを制御するための制御信号が入力される。各ダイプレクサは、第１ないし第３のポートと、第１のポートと第２のポートとの間に設けられ、第１の周波数帯域における信号を通過させる第１のフィルタと、第１のポートと第３のポートとの間に設けられ、第２の周波数帯域における信号を通過させる第２のフィルタとを有し、第１のポートはスイッチ回路に接続されている。各ダイプレクサは、更に、第１のポートから見た第１のフィルタへの信号経路と第２のフィルタへの信号経路との分岐点と、この分岐点と第１のフィルタとの間に設けられ、制御信号に起因する直流の通過を阻止する第１のキャパシタと、分岐点と第２のフィルタとの間に設けられ、制御信号に起因する直流の通過を阻止する第２のキャパシタとを有している。
【００１５】
本発明の高周波モジュールでは、スイッチ回路は、制御信号に応じて状態が切り替えられ、アンテナ端子に対して複数のダイプレクサのいずれかを接続する。各ダイプレクサは、第１の周波数帯域における信号と第２の周波数帯域における信号とを分離する。また、各ダイプレクサにおいて、第１および第２のキャパシタは、制御信号に起因する直流の通過を阻止する。
【００１６】
本発明の高周波モジュールにおける複数のダイプレクサのうちの１つにおいて、第１のポートには、アンテナ端子に入力されスイッチ回路を通過した第１および第２の周波数帯域における各受信信号が入力され、第１のフィルタは、第１の周波数帯域における受信信号を通過させ、第２のポートは、第１の周波数帯域における受信信号を出力し、第２のフィルタは、第２の周波数帯域における受信信号を通過させ、第３のポートは、第２の周波数帯域における受信信号を出力してもよい。
【００１７】
また、本発明の高周波モジュールにおける複数のダイプレクサのうちの他の１つにおいて、第２のポートには、第１の周波数帯域における送信信号が入力され、第１のフィルタは、第１の周波数帯域における送信信号を通過させ、第３のポートには、第２の周波数帯域における送信信号が入力され、第２のフィルタは、第２の周波数帯域における送信信号を通過させ、第１のポートは、第１および第２の周波数帯域における各送信信号を出力してもよい。
【００１８】
本発明の高周波モジュールは、アンテナ端子として第１および第２のアンテナ端子を備えていてもよい。この場合、スイッチ回路は、複数のダイプレクサのいずれかを、第１および第２のアンテナ端子のいずれかに接続する。
【００１９】
また、本発明の高周波モジュールにおいて、第１のキャパシタのキャパシタンスは、第２のキャパシタのキャパシタンスよりも大きくてもよい。この場合、第１のキャパシタのキャパシタンスは、１０ｐＦ〜１００ｐＦの範囲内であってもよい。また、基板は、交互に積層された誘電体層と導体層とを含む積層基板であってもよい。この場合、第１のキャパシタは、積層基板に搭載され、第２のキャパシタは、誘電体層と導体層を用いて構成されていてもよい。
【００２０】
また、本発明の高周波モジュールにおいて、スイッチ回路は、基板に搭載されていてもよい。また、スイッチ回路は、ＧａＡｓ化合物半導体による電界効果トランジスタを用いて構成されていてもよい。
【００２１】
また、本発明の高周波モジュールにおいて、基板は、低温同時焼成セラミック多層基板であってもよい。この場合、スイッチ回路は、ＧａＡｓ化合物半導体による電界効果トランジスタを用いて構成されて、基板に搭載されていてもよい。また、基板には、各ダイプレクサを構成する複数のインダクタンス素子およびキャパシタンス素子が内蔵されていてもよい。また、高周波モジュールは、更に、各ダイプレクサを外部回路に接続するための複数の信号端子と、グランドに接続されるグランド端子とを備え、アンテナ端子、信号端子およびグランド端子は、基板の外周面に形成されていてもよい。
【００２２】
また、本発明の高周波モジュールにおいて、各フィルタは、いずれもバンドパスフィルタであってもよい。各バンドパスフィルタは、共振回路を用いて構成されていてもよい。また、基板は、交互に積層された誘電体層と導体層とを含む積層基板であり、各共振回路は、誘電体層と導体層を用いて構成されていてもよい。また、各共振回路は、導体層を用いて構成された分布定数線路を含んでいてもよい。
【００２３】
また、各共振回路は、導体層を用いて構成されインダクタンスを有する伝送線路を含みんでいてもよい。そして、各ダイプレクサにおいて、第１のフィルタにおける共振回路に含まれる上記伝送線路の長手方向と第２のフィルタにおける共振回路に含まれる上記伝送線路の長手方向は直交していてもよい。
【００２４】
また、本発明の高周波モジュールにおいて、各フィルタがいずれもバンドパスフィルタである場合には、各ダイプレクサは、更に、第２のフィルタに直列に接続され、第２の周波数帯域における信号を通過させるローパスフィルタを有していてもよい。
【発明の効果】
【００２５】
本発明の高周波モジュールでは、各ダイプレクサは、第１のポートから見た第１のフィルタへの信号経路と第２のフィルタへの信号経路との分岐点と第１のフィルタとの間に設けられた第１のキャパシタと、分岐点と第２のフィルタとの間に設けられた第２のキャパシタとを有している。本発明では、第１および第２のキャパシタのキャパシタンスの値を、それぞれ、第１のフィルタへの信号経路と第２のフィルタへの信号経路における各通過特性が良好になるように設定することができる。従って、本発明によれば、複数の周波数帯域の送信信号および受信信号を処理でき、且つ各信号の経路における各通過特性が良好になるように設定できる高周波モジュールを実現することができるという効果を奏する。
【００２６】
本発明の高周波モジュールは、アンテナ端子として第１および第２のアンテナ端子を備え、スイッチ回路は、複数のダイプレクサのいずれかを、第１および第２のアンテナ端子のいずれかに接続してもよい。この場合には、ダイバシティに対応した高周波モジュールを実現することができるという効果を奏する。
【００２７】
また、本発明の高周波モジュールにおいて、各フィルタは、いずれもバンドパスフィルタであってもよい。この場合には、高周波モジュールに接続される回路に設けられるフィルタの数を少なくしたり、高周波モジュールに接続される回路に設けられるフィルタに要求される条件を緩和したりすることができるという効果を奏する。
【００２８】
また、本発明の高周波モジュールにおいて、各バンドパスフィルタは、共振回路を用いて構成されていてもよい。この場合には、バンドパスフィルタを構成する素子数が少なくなり、且つバンドパスフィルタの特性の調整が容易になるという効果を奏する。
【００２９】
また、本発明の高周波モジュールにおいて、基板は、交互に積層された誘電体層と導体層とを含む積層基板であってもよく、各共振回路は、誘電体層と導体層を用いて構成されていてもよい。この場合には、高周波モジュールをより小型化することができるという効果を奏する。
【００３０】
また、本発明の高周波モジュールにおいて、各共振回路は、積層基板の導体層を用いて構成された分布定数線路を含んでいてもよい。この場合には、バンドパスフィルタの通過帯域外の周波数領域において大きな減衰が必要で、且つ通過帯域と通過帯域外の周波数領域との境界近傍において挿入損失が急峻に変化する特性が必要なときに、バンドパスフィルタを集中定数素子のみによって構成する場合に比べて、高周波モジュールをより小型化することが可能になると共に、容易にバンドパスフィルタの所望の特性を実現することが可能になるという効果を奏する。
【００３１】
また、本発明の高周波モジュールにおいて、各共振回路は、積層基板の導体層を用いて構成されインダクタンスを有する伝送線路を含み、各ダイプレクサにおいて、第１のフィルタにおける共振回路に含まれる上記伝送線路の長手方向と第２のフィルタにおける共振回路に含まれる上記伝送線路の長手方向は直交していてもよい。この場合には、第１のフィルタと第２のフィルタとの間における電磁気的な干渉の発生を防止することができるという効果を奏する。
【００３２】
また、本発明の高周波モジュールにおいて、各フィルタが、いずれもバンドパスフィルタである場合には、各ダイプレクサは、更に、第２のフィルタに直列に接続され、第２の周波数帯域における信号を通過させるローパスフィルタを有していてもよい。この場合には、第２の周波数帯域における信号の経路において、第２の周波数帯域における挿入損失の増加を抑制しながら、第２の周波数帯域よりも高周波側における挿入損失を増加させることができるという効果を奏する。
【発明を実施するための最良の形態】
【００３３】
以下、図面を参照して、本発明の一実施の形態に係る高周波モジュールについて説明する。本実施の形態に係る高周波モジュールは、無線ＬＡＮ用の通信装置に用いられ、第１の周波数帯域における受信信号および送信信号と、第１の周波数帯域よりも高周波側の第２の周波数帯域における受信信号および送信信号とを処理するものである。第１の周波数帯域は、例えばＩＥＥＥ８０２．１１ｂにおいて使用される２．４ＧＨｚ帯である。第２の周波数帯域は、例えばＩＥＥＥ８０２．１１ａやＩＥＥＥ８０２．１１ｇにおいて使用される５ＧＨｚ帯である。また、本実施の形態に係る高周波モジュールは、ダイバシティに対応可能なものである。
【００３４】
図１は、本実施の形態に係る高周波モジュールを示す回路図である。本実施の形態に係る高周波モジュール１は、それぞれ異なるアンテナ１０１，１０２に接続される２つのアンテナ端子ＡＮＴ１，ＡＮＴ２と、第１の周波数帯域における受信信号（以下、第１の受信信号という。）を出力する第１の受信信号端子ＲＸ１と、第２の周波数帯域における受信信号（以下、第２の受信信号という。）を出力する第２の受信信号端子ＲＸ２と、第１の周波数帯域における送信信号（以下、第１の送信信号という。）が入力される第１の送信信号端子ＴＸ１と、第２の周波数帯域における送信信号（以下、第２の送信信号という。）が入力される第２の送信信号端子ＴＸ２と、それぞれ制御信号ＶＣ１，ＶＣ２が入力される制御端子ＣＴ１，ＣＴ２とを備えている。制御端子ＣＴ１，ＣＴ２は、それぞれ、高周波モジュール１の外部に設けられるキャパシタ１０３，１０４を介して接地されるようになっている。受信信号端子ＲＸ１，ＲＸ２、送信信号端子ＴＸ２，ＴＸ２および制御端子ＣＴ１，ＣＴ２は、外部回路に接続される。
【００３５】
高周波モジュール１は、更に、アンテナ端子ＡＮＴ１，ＡＮＴ２に接続されたスイッチ回路１０と、受信信号端子ＲＸ１，ＲＸ２およびスイッチ回路１０に接続された第１のダイプレクサ１１と、送信信号端子ＴＸ１，ＴＸ２およびスイッチ回路１０に接続された第２のダイプレクサ１２とを備えている。
【００３６】
高周波モジュール１は、更に、キャパシタ１３，１４を備えている。キャパシタ１３は、スイッチ回路１０とアンテナ端子ＡＮＴ１との間の信号経路に直列に挿入されている。キャパシタ１４は、スイッチ回路１０とアンテナ端子ＡＮＴ２との間の信号経路に直列に挿入されている。キャパシタ１３，１４は、いずれも、制御信号ＶＣ１，ＶＣ２に起因する直流の通過を阻止するものである。
【００３７】
スイッチ回路１０は、６つのポートＰ１〜Ｐ６を有している。ポートＰ１は、キャパシタ１３を介してアンテナ端子ＡＮＴ１に接続されている。ポートＰ２は、キャパシタ１４を介してアンテナ端子ＡＮＴ２に接続されている。ポートＰ３は、ダイプレクサ１１に接続されている。ポートＰ４は、ダイプレクサ１２に接続されている。ポートＰ５，Ｐ６は、それぞれ、制御端子ＣＴ１，ＣＴ２に接続されている。
【００３８】
スイッチ回路１０は、更に、それぞれ導通状態と非導通状態が選択される４つのスイッチＳＷ１〜ＳＷ４を有している。各スイッチＳＷ１〜ＳＷ４は、それぞれ、例えばＧａＡｓ化合物半導体による電界効果トランジスタを用いて構成されている。スイッチＳＷ１の一端はポートＰ１に接続され、スイッチＳＷ１の他端はポートＰ３に接続されている。スイッチＳＷ２の一端はポートＰ２に接続され、スイッチＳＷ２の他端はポートＰ３に接続されている。スイッチＳＷ３の一端はポートＰ２に接続され、スイッチＳＷ３の他端はポートＰ４に接続されている。スイッチＳＷ４の一端はポートＰ１に接続され、スイッチＳＷ４の他端はポートＰ４に接続されている。
【００３９】
スイッチＳＷ１とスイッチＳＷ３は、ポートＰ５に入力される制御信号ＶＣ１がハイレベルのときに導通状態となり、制御信号ＶＣ１がローレベルのときに非導通状態となる。スイッチＳＷ２とスイッチＳＷ４は、ポートＰ６に入力される制御信号ＶＣ２がハイレベルのときに導通状態となり、制御信号ＶＣ２がローレベルのときに非導通状態となる。従って、制御信号ＶＣ１がハイレベルで、制御信号ＶＣ２がローレベルのときには、ポートＰ１とポートＰ３が接続され、ポートＰ２とポートＰ４が接続される。このとき、ダイプレクサ１１はアンテナ端子ＡＮＴ１に接続され、ダイプレクサ１２はアンテナ端子ＡＮＴ２に接続される。一方、制御信号ＶＣ１がローレベルで、制御信号ＶＣ２がハイレベルのときには、ポートＰ１とポートＰ４が接続され、ポートＰ２とポートＰ３が接続される。このとき、ダイプレクサ１１はアンテナ端子ＡＮＴ２に接続され、ダイプレクサ１２はアンテナ端子ＡＮＴ１に接続される。このように、スイッチ回路１０は、ダイプレクサ１１，１２のいずれかを、アンテナ端子ＡＮＴ１，ＡＮＴ２のいずれかに接続する。
【００４０】
ダイプレクサ１１は、３つのポートＰ１１〜Ｐ１３を有している。ポートＰ１１は、スイッチ回路１０のポートＰ３に接続されている。ポートＰ１２は、受信信号端子ＲＸ１に接続されている。ポートＰ１３は、受信信号端子ＲＸ２に接続されている。
【００４１】
ダイプレクサ１１は、更に、２つのバンドパスフィルタ（以下、ＢＰＦと記す。）２０，３０と、ローパスフィルタ（以下、ＬＰＦとも記す。）４０と、インダクタ８１と、キャパシタ１５，８２，８３，８４とを有している。キャパシタ１５の一端は、ポートＰ１１に接続されている。インダクタ８１の一端は、キャパシタ１５の他端に接続されている。ＢＰＦ２０の一端は、インダクタ８１の他端に接続されている。ＢＰＦ２０の他端は、キャパシタ８２を介してポートＰ１２に接続されている。ＢＰＦ３０の一端は、キャパシタ８３を介してポートＰ１１に接続されている。ＢＰＦ３０の他端は、キャパシタ８４を介してＬＰＦ４０の一端に接続されている。ＬＰＦ４０の他端は、ポートＰ１３に接続されている。ＢＰＦ２０は、本発明における第１のフィルタに対応し、ＢＰＦ３０は、本発明における第２のフィルタに対応する。また、キャパシタ１５は、本発明における第１のキャパシタに対応し、キャパシタ８３は、本発明における第２のキャパシタに対応する。キャパシタ１５のキャパシタンスは、キャパシタ８３のキャパシタンスよりも大きい。キャパシタ１５のキャパシタンスは、例えば１０ｐＦ〜１００ｐＦの範囲内である。キャパシタ８３のキャパシタンスは、例えば０．５ｐＦ〜１．５ｐＦの範囲内である。
【００４２】
ＢＰＦ２０は、インダクタンスを有する伝送線路２１，２４と、キャパシタ２２，２３，２５とを有している。伝送線路２１およびキャパシタ２２，２３の各一端は、インダクタ８１を介してポートＰ１１に接続されている。伝送線路２１およびキャパシタ２２の各他端は接地されている。伝送線路２４およびキャパシタ２５の各一端は、キャパシタ２３の他端に接続されていると共に、キャパシタ８２を介してポートＰ１２に接続されている。伝送線路２４およびキャパシタ２５の各他端は接地されている。伝送線路２１とキャパシタ２２は、並列共振回路を構成している。伝送線路２４とキャパシタ２５は、他の並列共振回路を構成している。このように、ＢＰＦ２０は、２つの並列共振回路を用いて構成されている。
【００４３】
ＢＰＦ３０は、インダクタンスを有する伝送線路３１，３４と、キャパシタ３２，３３，３５とを有している。伝送線路３１およびキャパシタ３２，３３の各一端は、キャパシタ８３を介してポートＰ１１に接続されている。伝送線路３１およびキャパシタ３２の各他端は接地されている。伝送線路３４およびキャパシタ３５の各一端は、キャパシタ３３の他端に接続されていると共に、キャパシタ８４を介してＬＰＦ４０に接続されている。伝送線路３４およびキャパシタ３５の各他端は接地されている。伝送線路３１とキャパシタ３２は、並列共振回路を構成している。伝送線路３４とキャパシタ３５は、他の並列共振回路を構成している。このように、ＢＰＦ３０は、２つの並列共振回路を用いて構成されている。
【００４４】
ＬＰＦ４０は、インダクタ４１と、キャパシタ４２，４３，４４とを有している。インダクタ４１およびキャパシタ４２，４３の各一端は、キャパシタ８４を介してＢＰＦ３０に接続されている。インダクタ４１およびキャパシタ４３の各他端は、ポートＰ１３に接続されている。キャパシタ４２の他端は接地されている。キャパシタ４４の一端はポートＰ１３に接続され、キャパシタ４４の他端は接地されている。
【００４５】
ＢＰＦ２０は、第１の周波数帯域内の周波数の信号を通過させ、第１の周波数帯域外の周波数の信号を遮断する。これにより、ＢＰＦ２０は、アンテナ端子ＡＮＴ１またはアンテナ端子ＡＮＴ２に入力されスイッチ回路１０を通過した第１の受信信号を通過させて受信信号端子ＲＸ１に送る。キャパシタ１５は、制御信号ＶＣ１，ＶＣ２に起因する直流の通過を阻止する。インダクタ８１およびキャパシタ８２は、ＢＰＦ２０を含む、第１の受信信号の経路における通過特性を改善する。
【００４６】
ＢＰＦ３０は、第２の周波数帯域内の周波数の信号を通過させ、第２の周波数帯域外の周波数の信号を遮断する。ＬＰＦ４０は、第２の周波数帯域内の周波数の信号および第２の周波数帯域よりも低周波側の周波数の信号を通過させ、第２の周波数帯域よりも高周波側の周波数の信号を遮断する。これにより、ＢＰＦ３０およびＬＰＦ４０は、アンテナ端子ＡＮＴ１またはアンテナ端子ＡＮＴ２に入力されスイッチ回路１０を通過した第２の受信信号を通過させて受信信号端子ＲＸ２に送る。キャパシタ８３は、制御信号ＶＣ１，ＶＣ２に起因する直流の通過を阻止する。また、キャパシタ８３，８４は、ＢＰＦ３０およびＬＰＦ４０を含む、第２の受信信号の経路における通過特性を改善する。
【００４７】
ここで、ポートＰ１１から見たＢＰＦ２０への信号経路とＢＰＦ３０への信号経路との分岐点をＮ１で表す。本実施の形態では、制御信号ＶＣ１，ＶＣ２に起因する直流の通過を阻止するためのキャパシタ１５，８３は、それぞれ、分岐点Ｎ１とＢＰＦ２０の間と、分岐点Ｎ１とＢＰＦ３０の間に設けられている。また、ポートＰ１１と分岐点Ｎ１との間には、制御信号ＶＣ１，ＶＣ２に起因する直流の通過を阻止するためのキャパシタは配置されていない。
【００４８】
ダイプレクサ１２は、３つのポートＰ２１〜Ｐ２３を有している。ポートＰ２１は、スイッチ回路１０のポートＰ４に接続されている。ポートＰ２２は、送信信号端子ＴＸ１に接続されている。ポートＰ２３は、送信信号端子ＴＸ２に接続されている。
【００４９】
ダイプレクサ１２は、更に、２つのＢＰＦ５０，６０と、ＬＰＦ７０と、インダクタ９１と、キャパシタ１６，９２，９３，９４とを有している。キャパシタ１６の一端は、ポートＰ２１に接続されている。インダクタ９１の一端は、キャパシタ１６の他端に接続されている。ＢＰＦ５０の一端は、インダクタ９１の他端に接続されている。ＢＰＦ５０の他端は、キャパシタ９２を介してポートＰ２２に接続されている。ＢＰＦ６０の一端は、キャパシタ９３を介してポートＰ２１に接続されている。ＢＰＦ６０の他端は、キャパシタ９４を介してＬＰＦ７０の一端に接続されている。ＬＰＦ７０の他端は、ポートＰ２３に接続されている。ＢＰＦ５０は、本発明における第１のフィルタに対応し、ＢＰＦ６０は、本発明における第２のフィルタに対応する。また、キャパシタ１６は、本発明における第１のキャパシタに対応し、キャパシタ９３は、本発明における第２のキャパシタに対応する。キャパシタ１６のキャパシタンスは、キャパシタ９３のキャパシタンスよりも大きい。キャパシタ１６のキャパシタンスは、例えば１０ｐＦ〜１００ｐＦの範囲内である。キャパシタ９３のキャパシタンスは、例えば０．５ｐＦ〜１．５ｐＦの範囲内である。
【００５０】
ＢＰＦ５０は、インダクタンスを有する伝送線路５１，５４と、キャパシタ５２，５３，５５とを有している。伝送線路５１およびキャパシタ５２，５３の各一端は、インダクタ９１を介してポートＰ２１に接続されている。伝送線路５１およびキャパシタ５２の各他端は接地されている。伝送線路５４およびキャパシタ５５の各一端は、キャパシタ５３の他端に接続されていると共に、キャパシタ９２を介してポートＰ２２に接続されている。伝送線路５４およびキャパシタ５５の各他端は接地されている。伝送線路５１とキャパシタ５２は、並列共振回路を構成している。伝送線路５４とキャパシタ５５は、他の並列共振回路を構成している。このように、ＢＰＦ５０は、２つの並列共振回路を用いて構成されている。
【００５１】
ＢＰＦ６０は、インダクタンスを有する伝送線路６１，６４と、キャパシタ６２，６３，６５とを有している。伝送線路６１およびキャパシタ６２，６３の各一端は、キャパシタ９３を介してポートＰ２１に接続されている。伝送線路６１およびキャパシタ６２の各他端は接地されている。伝送線路６４およびキャパシタ６５の各一端は、キャパシタ６３の他端に接続されていると共に、キャパシタ９４を介してＬＰＦ７０に接続されている。伝送線路６４およびキャパシタ６５の各他端は接地されている。伝送線路６１とキャパシタ６２は、並列共振回路を構成している。伝送線路６４とキャパシタ６５は、他の並列共振回路を構成している。このように、ＢＰＦ６０は、２つの並列共振回路を用いて構成されている。
【００５２】
ＬＰＦ７０は、インダクタ７１と、キャパシタ７２，７３，７４とを有している。インダクタ７１およびキャパシタ７２，７３の各一端は、キャパシタ９４を介してＢＰＦ６０に接続されている。インダクタ７１およびキャパシタ７３の各他端は、ポートＰ２３に接続されている。キャパシタ７２の他端は接地されている。キャパシタ７４の一端はポートＰ２３に接続され、キャパシタ７４の他端は接地されている。
【００５３】
ＢＰＦ５０は、第１の周波数帯域内の周波数の信号を通過させ、第１の周波数帯域外の周波数の信号を遮断する。これにより、ＢＰＦ５０は、送信信号端子ＴＸ１に入力された第１の送信信号を通過させてスイッチ回路１０に送る。キャパシタ１６は、制御信号ＶＣ１，ＶＣ２に起因する直流の通過を阻止する。インダクタ９１およびキャパシタ９２は、ＢＰＦ５０を含む、第１の送信信号の経路における通過特性を改善する。
【００５４】
ＢＰＦ６０は、第２の周波数帯域内の周波数の信号を通過させ、第２の周波数帯域外の周波数の信号を遮断する。ＬＰＦ７０は、第２の周波数帯域内の周波数の信号および第２の周波数帯域よりも低周波側の周波数の信号を通過させ、第２の周波数帯域よりも高周波側の周波数の信号を遮断する。これにより、ＢＰＦ６０およびＬＰＦ７０は、送信信号端子ＴＸ２に入力された第２の送信信号を通過させてスイッチ回路１０に送る。キャパシタ９３は、制御信号ＶＣ１，ＶＣ２に起因する直流の通過を阻止する。また、キャパシタ９３，９４は、ＢＰＦ６０およびＬＰＦ７０を含む、第２の送信信号の経路における通過特性を改善する。
【００５５】
ここで、ポートＰ２１から見たＢＰＦ５０への信号経路とＢＰＦ６０への信号経路との分岐点をＮ２で表す。本実施の形態では、制御信号ＶＣ１，ＶＣ２に起因する直流の通過を阻止するためのキャパシタ１６，９３は、それぞれ、分岐点Ｎ２とＢＰＦ５０の間と、分岐点Ｎ２とＢＰＦ６０の間に設けられている。また、ポートＰ２１と分岐点Ｎ２との間には、制御信号ＶＣ１，ＶＣ２に起因する直流の通過を阻止するためのキャパシタは配置されていない。
【００５６】
高周波モジュール１では、アンテナ端子ＡＮＴ１またはアンテナ端子ＡＮＴ２に入力された第１の受信信号は、スイッチ回路１０およびＢＰＦ２０を通過して受信信号端子ＲＸ１に送られる。また、アンテナ端子ＡＮＴ１またはアンテナ端子ＡＮＴ２に入力された第２の受信信号は、スイッチ回路１０、ＢＰＦ３０およびＬＰＦ４０を通過して受信信号端子ＲＸ２に送られる。また、送信信号端子ＴＸ１に入力された第１の送信信号は、ＢＰＦ５０およびスイッチ回路１０を通過してアンテナ端子ＡＮＴ１またはアンテナ端子ＡＮＴ２に送られる。また、送信信号端子ＴＸ２に入力された第２の送信信号は、ＬＰＦ７０、ＢＰＦ６０およびスイッチ回路１０を通過してアンテナ端子ＡＮＴ１またはアンテナ端子ＡＮＴ２に送られる。
【００５７】
次に、図２および図３を参照して、高周波モジュール１の構造について説明する。図２は、高周波モジュール１の外観を示す斜視図である。図３は、高周波モジュール１の平面図である。図２および図３に示したように、高周波モジュール１は、高周波モジュール１の上記各要素を一体化する積層基板２００を備えている。積層基板２００は、交互に積層された誘電体層と導体層とを有している。高周波モジュール１における回路は、積層基板２００の内部または表面上の導体層と、積層基板２００の上面に搭載された素子とを用いて構成されている。ここでは、一例として、図１におけるスイッチ回路１０およびキャパシタ１３〜１６が、積層基板２００に搭載されているものとする。スイッチ回路１０は、１個の部品の形態を有している。積層基板２００は、例えば低温同時焼成セラミック多層基板になっている。
【００５８】
積層基板２００の上面、下面および側面には、前述の各端子ＡＮＴ１，ＡＮＴ２，ＲＸ１，ＲＸ２，ＴＸ１，ＴＸ２，ＣＴ１，ＣＴ２と、６つのグランド端子Ｇ１〜Ｇ６と、端子ＮＣ１，ＮＣ２が設けられている。グランド端子Ｇ１〜Ｇ６は、グランドに接続されるようになっている。端子ＮＣ１，ＮＣ２は、積層基板２００の内部の導体層にも外部回路にも接続されない。
【００５９】
次に、図４を参照して、本実施の形態に係る高周波モジュール１が利用される無線ＬＡＮ用の通信装置における高周波回路部の構成の一例について説明する。図４に示した高周波回路部は、高周波モジュール１と、この高周波モジュール１に接続された２つのアンテナ１０１，１０２とを備えている。
【００６０】
高周波回路部は、更に、入力端が高周波モジュール１の受信信号端子ＲＸ１に接続されたローノイズアンプ１１１と、一端がローノイズアンプ１１１の出力端に接続されたＢＰＦ１１２と、不平衡端子がＢＰＦ１１２の他端に接続されたバラン１１３とを備えている。受信信号端子ＲＸ１より出力された第１の受信信号は、ローノイズアンプ１１１によって増幅された後、ＢＰＦ１１２を通過し、バラン１１３によって、平衡信号に変換されて、バラン１１３の２つの平衡端子より出力される。
【００６１】
高周波回路部は、更に、入力端が高周波モジュール１の受信信号端子ＲＸ２に接続されたローノイズアンプ１１４と、一端がローノイズアンプ１１４の出力端に接続されたＢＰＦ１１５と、不平衡端子がＢＰＦ１１５の他端に接続されたバラン１１６とを備えている。受信信号端子ＲＸ２より出力された第２の受信信号は、ローノイズアンプ１１４によって増幅された後、ＢＰＦ１１５を通過し、バラン１１６によって、平衡信号に変換されて、バラン１１６の２つの平衡端子より出力される。
【００６２】
高周波回路部は、更に、出力端が高周波モジュール１の送信信号端子ＴＸ１に接続されたパワーアンプ１２１と、一端がパワーアンプ１２１の入力端に接続されたＢＰＦ１２２と、不平衡端子がＢＰＦ１２２の他端に接続されたバラン１２３とを備えている。第１の送信信号に対応する平衡信号は、バラン１２３の２つの平衡端子に入力され、バラン１２３によって不平衡信号に変換され、ＢＰＦ１２２を通過し、パワーアンプ１２１によって増幅された後、第１の送信信号として送信信号端子ＴＸ１に与えられる。
【００６３】
高周波回路部は、更に、出力端が高周波モジュール１の送信信号端子ＴＸ２に接続されたパワーアンプ１２４と、一端がパワーアンプ１２４の入力端に接続されたＢＰＦ１２５と、不平衡端子がＢＰＦ１２５の他端に接続されたバラン１２６とを備えている。第２の送信信号に対応する平衡信号は、バラン１２６の２つの平衡端子に入力され、バラン１２６によって不平衡信号に変換され、ＢＰＦ１２５を通過し、パワーアンプ１２４によって増幅された後、第２の送信信号として送信信号端子ＴＸ２に与えられる。
【００６４】
なお、高周波回路部の構成は、図４に示した構成に限定されず、種々変更が可能である。例えば、高周波回路部は、バラン１１３，１１６を含まず、ＢＰＦ１１２，１１５を通過した信号を、不平衡信号のまま出力するものであってもよい。また、ローノイズアンプ１１１とＢＰＦ１１２の位置関係、およびローノイズアンプ１１４とＢＰＦ１１５の位置関係は、それぞれ、図４に示した位置関係とは逆であってもよい。また、ＢＰＦ１１２，１１５，１２２，１２５の代わりに、ローパスフィルタまたはハイパスフィルタが設けられていてもよい。
【００６５】
次に、図５ないし図２４を参照して、積層基板２００の構成の一例について説明する。図５ないし図２３は、それぞれ、上から１層目ないし１９層目（最下層）の誘電体層の上面を示している。図２４は、上から１９層目の誘電体層およびその下の導体層を示している。図５ないし図２３において、丸印はスルーホールを表している。
【００６６】
図５に示した１層目の誘電体層２０１の上面には、各端子ＡＮＴ１，ＡＮＴ２，ＲＸ１，ＲＸ２，ＴＸ１，ＴＸ２，ＣＴ１，ＣＴ２，Ｇ１〜Ｇ６，ＮＣ１，ＮＣ２を構成する導体層が形成されている。誘電体層２０１の上面には、更に、キャパシタ１３が接続される導体層３０１，３０２と、キャパシタ１４が接続される導体層４０１，４０２と、キャパシタ１５が接続される導体層３０３，３０４と、キャパシタ１６が接続される導体層４０３，４０４とが形成されている。誘電体層２０１の上面には、更に、スイッチ回路１０の各ポートＰ１〜Ｐ６が接続される６つの導体層２２１〜２２６と、グランドに接続される導体層２３０とが形成されている。
【００６７】
図６に示した２層目の誘電体層２０２の上面には、導体層２３１，２３２，３１１〜３１４，４１１〜４１４が形成されている。導体層２３１は端子Ｇ１に接続されている。導体層２３２は端子Ｇ４に接続されている。
【００６８】
導体層３１１は端子ＡＮＴ１に接続されている。導体層３１１には、誘電体層２０１に形成されたスルーホールを介して、図５に示した導体層３０１が接続されている。導体層３１２には、誘電体層２０１に形成された２つのスルーホールを介して、図５に示した導体層２２１，３０２が接続されている。導体層３１３は端子ＣＴ１に接続されている。導体層３１３には、誘電体層２０１に形成されたスルーホールを介して、図５に示した導体層２２５が接続されている。導体層３１４には、誘電体層２０１に形成された２つのスルーホールを介して、図５に示した導体層２２３，３０３が接続されている。
【００６９】
導体層４１１は端子ＡＮＴ２に接続されている。導体層４１１には、誘電体層２０１に形成されたスルーホールを介して、図５に示した導体層４０１が接続されている。導体層４１２には、誘電体層２０１に形成された２つのスルーホールを介して、図５に示した導体層２２２，４０２が接続されている。導体層４１３は端子ＣＴ２に接続されている。導体層４１３には、誘電体層２０１に形成されたスルーホールを介して、図５に示した導体層２２６が接続されている。導体層４１４には、誘電体層２０１に形成された２つのスルーホールを介して、図５に示した導体層２２４，４０３が接続されている。
【００７０】
図７に示した３層目の誘電体層２０３の上面には、グランド用導体層２３３，２３４が形成されている。導体層２３３は端子Ｇ１に接続されている。導体層２３３には、誘電体層２０２に形成されたスルーホールを介して、図６に示した導体層２３１が接続されている。導体層２３４は端子Ｇ２〜Ｇ６に接続されている。導体層２３４には、誘電体層２０２に形成されたスルーホールを介して、図６に示した導体層２３２が接続されている。また、導体層２３４には、誘電体層２０１，２０２に形成されたスルーホールを介して、図５に示した導体層２３０が接続されている。
【００７１】
図８に示した４層目の誘電体層２０４の上面には、グランド用導体層２３５、導体層３１６，４１６およびインダクタ用導体層３１７，４１７が形成されている。導体層２３５は、端子Ｇ１および端子Ｇ４に接続されている。導体層２３５には、誘電体層２０３に形成された複数のスルーホールを介して、図７に示した導体層２３３，２３４が接続されている。
【００７２】
導体層３１６には、誘電体層２０１〜２０３に形成されたスルーホールを介して、図５に示した導体層３０４が接続されている。導体層３１７の一端部は、端子ＲＸ２に接続されている。導体層３１７は、図１におけるインダクタ４１を構成する。
【００７３】
導体層４１６には、誘電体層２０１〜２０３に形成されたスルーホールを介して、図５に示した導体層４０４が接続されている。導体層４１７の一端部は、端子ＴＸ２に接続されている。導体層４１７は、図１におけるインダクタ７１を構成する。
【００７４】
図９に示した５層目の誘電体層２０５の上面には、キャパシタ用導体層３１９，４１９が形成されている。導体層３１９は端子Ｇ２に接続されている。導体層３１９は、図１におけるキャパシタ３２，３５，４２の各一部を構成する。導体層４１９は端子Ｇ６に接続されている。導体層４１９は、図１におけるキャパシタ６２，６５，７２の各一部を構成する。
【００７５】
図１０に示した６層目の誘電体層２０６の上面には、キャパシタ用導体層３２１，３２２，３２３，４２１，４２２，４２３が形成されている。
【００７６】
導体層３２１は、図９に示した導体層３１９と共に、図１におけるキャパシタ３２を構成する。導体層３２２は、図９に示した導体層３１９と共に、図１におけるキャパシタ３５を構成する。導体層３２３は、図９に示した導体層３１９と共に、図１におけるキャパシタ４２を構成すると共に、図１におけるキャパシタ４３の一部を構成する。導体層３２３には、誘電体層２０４，２０５に形成されたスルーホールを介して、図８に示した導体層３１７が接続されている。
【００７７】
導体層４２１は、図９に示した導体層４１９と共に、図１におけるキャパシタ６２を構成する。導体層４２２は、図９に示した導体層４１９と共に、図１におけるキャパシタ６５を構成する。導体層４２３は、図９に示した導体層４１９と共に、図１におけるキャパシタ７２を構成すると共に、図１におけるキャパシタ７３の一部を構成する。導体層４２３には、誘電体層２０４，２０５に形成されたスルーホールを介して、図８に示した導体層４１７が接続されている。
【００７８】
図１１に示した７層目の誘電体層２０７の上面には、グランド用導体層２３６およびキャパシタ用導体層３２４，３２５，３２６，４２４，４２５，４２６が形成されている。導体層２３６は、端子Ｇ１および端子Ｇ４に接続されている。導体層２３６には、誘電体層２０４〜２０６に形成されたスルーホールを介して、図８に示した導体層２３５が接続されている。
【００７９】
導体層３２４には、誘電体層２０１〜２０６に形成されたスルーホールを介して、図５に示した導体層３０３が接続されている。導体層３２５には、誘電体層２０６に形成されたスルーホールを介して、図１０に示した導体層３２３が接続されている。導体層３２６は端子ＲＸ２に接続されている。導体層３２４，３２５は、それぞれ、図１におけるキャパシタ８３，８４の各一部を構成する。導体層３２６は、図１０に示した導電層３２３と共に、図１におけるキャパシタ４３を構成する。
【００８０】
導体層４２４には、誘電体層２０１〜２０６に形成されたスルーホールを介して、図５に示した導体層４０３が接続されている。導体層４２５には、誘電体層２０６に形成されたスルーホールを介して、図１０に示した導体層４２３が接続されている。導体層４２６は端子ＴＸ２に接続されている。導体層４２４，４２５は、それぞれ、図１におけるキャパシタ９３，９４の各一部を構成する。導体層４２６は、図１０に示した導電層４２３と共に、図１におけるキャパシタ７３を構成する。
【００８１】
図１２に示した８層目の誘電体層２０８の上面には、キャパシタ用導体層３２８，３２９，４２８，４２９が形成されている。
【００８２】
導体層３２８には、誘電体層２０６，２０７に形成されたスルーホールを介して、図１０に示した導体層３２１が接続されている。導体層３２９には、誘電体層２０６，２０７に形成されたスルーホールを介して、図１０に示した導体層３２２が接続されている。導体層３２８は、図１１に示した導体層３２４と共に、図１におけるキャパシタ８３を構成する。導体層３２９は、図１１に示した導体層３２５と共に、図１におけるキャパシタ８４を構成する。
【００８３】
導体層４２８には、誘電体層２０６，２０７に形成されたスルーホールを介して、図１０に示した導体層４２１が接続されている。導体層４２９には、誘電体層２０６，２０７に形成されたスルーホールを介して、図１０に示した導体層４２２が接続されている。導体層４２８は、図１１に示した導体層４２４と共に、図１におけるキャパシタ９３を構成する。導体層４２９は、図１１に示した導体層４２５と共に、図１におけるキャパシタ９４を構成する。
【００８４】
図１３に示した９層目の誘電体層２０９の上面には、グランド用導体層２３７〜２４１と、キャパシタ用導体層３３１，３３２，４３１，４３２が形成されている。導体層２３７〜２４１には、誘電体層２０７，２０８に形成されたスルーホールを介して、図１１に示した導体層２３６が接続されている。
【００８５】
導体層３３１には、誘電体層２０８に形成されたスルーホールを介して、図１２に示した導体層３２８が接続されている。導体層３３２には、誘電体層２０８に形成されたスルーホールを介して、図１２に示した導体層３２９が接続されている。導体層３３１，３３２は、図１におけるキャパシタ３３を構成する。
【００８６】
導体層４３１には、誘電体層２０８に形成されたスルーホールを介して、図１２に示した導体層４２８が接続されている。導体層４３２には、誘電体層２０８に形成されたスルーホールを介して、図１２に示した導体層４２９が接続されている。導体層４３１，４３２は、図１におけるキャパシタ６３を構成する。
【００８７】
図１４に示した１０層目の誘電体層２１０の上面には、導体層３３４，３３５，３３６，３３７，４３４，４３５，４３６，４３７が形成されている。
【００８８】
導体層３３４には、誘電体層２０８，２０９に形成されたスルーホールを介して、図１２に示した導体層３２８が接続されている。導体層３３５には、誘電体層２０８，２０９に形成されたスルーホールを介して、図１２に示した導体層３２９が接続されている。また、導体層３３５には、誘電体層２０３〜２０９に形成されたスルーホールを介して、図７に示した導体層２３４が接続されている。導体層３３６には、誘電体層２０３〜２０９に形成されたスルーホールを介して、図７に示した導体層２３４が接続されている。導体層３３７は、端子Ｇ３に接続されている。導体層３３４，３３５，３３６，３３７は、それぞれ、図１における伝送線路３１，３４，２１，２４を構成する。また、導体層３３４，３３５，３３６，３３７を用いて構成された伝送線路３１，３４，２１，２４は、分布定数線路になっている。本実施の形態では、ＢＰＦ２０における共振回路に含まれる伝送線路２１，２４（導体層３３６，３３７）の長手方向とＢＰＦ３０における共振回路に含まれる伝送線路３１，３４（導体層３３４，３３５）の長手方向が直交している。
【００８９】
導体層４３４には、誘電体層２０８，２０９に形成されたスルーホールを介して、図１２に示した導体層４２８が接続されている。導体層４３５には、誘電体層２０８，２０９に形成されたスルーホールを介して、図１２に示した導体層４２９が接続されている。また、導体層４３５には、誘電体層２０３〜２０９に形成されたスルーホールを介して、図７に示した導体層２３４が接続されている。導体層４３６には、誘電体層２０３〜２０９に形成されたスルーホールを介して、図７に示した導体層２３４が接続されている。導体層４３７は、端子Ｇ５に接続されている。導体層４３４，４３５，４３６，４３７は、それぞれ、図１における伝送線路６１，６４，５１，５４を構成する。また、導体層４３４，４３５，４３６，４３７を用いて構成された伝送線路６１，６４，５１，５４は、分布定数線路になっている。本実施の形態では、ＢＰＦ５０における共振回路に含まれる伝送線路５１，５４（導体層４３６，４３７）の長手方向とＢＰＦ６０における共振回路に含まれる伝送線路６１，６４（導体層４３４，４３５）の長手方向が直交している。
【００９０】
図１５に示した１１層目の誘電体層２１１の上面には、グランド用導体層２４２と、インダクタ用導体層３３９，４３９が形成されている。導体層２４２には、誘電体層２０９，２１０に形成されたスルーホールを介して、図１３に示した導体層２３７〜２４１が接続されている。
【００９１】
導体層３３９には、誘電体層２０４〜２１０に形成されたスルーホールを介して、図８に示した導体層３１６が接続されている。導体層３３９は、図１におけるインダクタ８１の一部を構成する。導体層４３９には、誘電体層２０４〜２１０に形成されたスルーホールを介して、図８に示した導体層４１６が接続されている。導体層４３９は、図１におけるインダクタ９１の一部を構成する。
【００９２】
図１６に示した１２層目の誘電体層２１２の上面には、インダクタ用導体層３４０，４４０が形成されている。導体層３４０には、誘電体層２１１に形成されたスルーホールを介して、図１５に示した導体層３３９が接続されている。導体層３４０は、図１におけるインダクタ８１の一部を構成する。導体層４４０には、誘電体層２１１に形成されたスルーホールを介して、図１５に示した導体層４３９が接続されている。導体層４４０は、図１におけるインダクタ９１の一部を構成する。
【００９３】
図１７に示した１３層目の誘電体層２１３の上面には、インダクタ用導体層３４１，４４１が形成されている。導体層３４１には、誘電体層２１２に形成されたスルーホールを介して、図１６に示した導体層３４０が接続されている。図１におけるインダクタ８１は、導体層３３９〜３４１によって構成される。導体層４４１には、誘電体層２１２に形成されたスルーホールを介して、図１６に示した導体層４４０が接続されている。図１におけるインダクタ９１は、導体層４３９〜４４１によって構成される。
【００９４】
図１８に示した１４層目の誘電体層２１４の上面には、キャパシタ用導体層３４３，３４４，４４３，４４４が形成されている。導体層３４３は端子ＲＸ２に接続されている。導体層３４３は、図１におけるキャパシタ４４の一部を構成する。導体層３４４は端子ＲＸ１に接続されている。導体層３４４は、図１におけるキャパシタ８２の一部を構成する。導体層４４３は端子ＴＸ２に接続されている。導体層４４３は、図１におけるキャパシタ７４の一部を構成する。導体層４４４は端子ＴＸ１に接続されている。導体層４４４は、図１におけるキャパシタ９２の一部を構成する。
【００９５】
図１９に示した１５層目の誘電体層２１５の上面には、グランド用導体層２４３、導体層３４６，４４６およびキャパシタ用導体層３４７，４４７が形成されている。導体層２４３には、誘電体層２１１〜２１４に形成されたスルーホールを介して、図１５に示した導体層２４２が接続されている。
【００９６】
導体層３４６には、誘電体層２１０〜２１４に形成されたスルーホールを介して、図１４に示した導体層３３６が接続されている。また、導体層３４６には、誘電体層２１３，２１４に形成されたスルーホールを介して、図１７に示した導体層３４１が接続されている。導体層３４７には、誘電体層２１０〜２１４に形成されたスルーホールを介して、図１４に示した導体層３３７が接続されている。導体層３４７は、図１８に示した導体層３４４と共に、キャパシタ８２を構成する。
【００９７】
導体層４４６には、誘電体層２１０〜２１４に形成されたスルーホールを介して、図１４に示した導体層４３６が接続されている。また、導体層４４６には、誘電体層２１３，２１４に形成されたスルーホールを介して、図１７に示した導体層４４１が接続されている。導体層４４７には、誘電体層２１０〜２１４に形成されたスルーホールを介して、図１４に示した導体層４３７が接続されている。導体層４４７は、図１８に示した導体層４４４と共に、キャパシタ９２を構成する。
【００９８】
図２０に示した１６層目の誘電体層２１６の上面には、キャパシタ用導体層３４９，３５０，３５１，４４９，４５０，４５１が形成されている。
【００９９】
導体層３４９は端子Ｇ２，Ｇ３に接続されている。導体層３４９は、図１８に示した導体層３４３と共に、図１におけるキャパシタ４４を構成する。導体層３５０には、誘電体層２１５に形成されたスルーホールを介して、図１９に示した導体層３４６が接続されている。導体層３５１には、誘電体層２１５に形成されたスルーホールを介して、図１９に示した導体層３４７が接続されている。導体層３５０，３５１は、図１におけるキャパシタ２３を構成する。
【０１００】
導体層４４９は端子Ｇ５，Ｇ６に接続されている。導体層４４９は、図１８に示した導体層４４３と共に、図１におけるキャパシタ７４を構成する。導体層４５０には、誘電体層２１５に形成されたスルーホールを介して、図１９に示した導体層４４６が接続されている。導体層４５１には、誘電体層２１５に形成されたスルーホールを介して、図１９に示した導体層４４７が接続されている。導体層４５０，４５１は、図１におけるキャパシタ５３を構成する。
【０１０１】
図２１に示した１７層目の誘電体層２１７の上面には、キャパシタ用導体層３５３，３５４，４５３，４５４が形成されている。
【０１０２】
導体層３５３には、誘電体層２１６に形成されたスルーホールを介して、図２０に示した導体層３５０が接続されている。導体層３５３は、図１におけるキャパシタ２２の一部を構成する。導体層３５４には、誘電体層２１６に形成されたスルーホールを介して、図２０に示した導体層３５１が接続されている。導体層３５４は、図１におけるキャパシタ２５の一部を構成する。
【０１０３】
導体層４５３には、誘電体層２１６に形成されたスルーホールを介して、図２０に示した導体層４５０が接続されている。導体層４５３は、図１におけるキャパシタ５２の一部を構成する。導体層４５４には、誘電体層２１６に形成されたスルーホールを介して、図２０に示した導体層４５１が接続されている。導体層４５４は、図１におけるキャパシタ５５の一部を構成する。
【０１０４】
図２２に示した１８層目の誘電体層２１８の上面にはグランド用導体層２４４が形成されている。導体層２４４は、端子Ｇ１〜Ｇ６に接続されている。導体層２４４は、図２１に示した導体層３５３と共に、図１におけるキャパシタ２２を構成する。また、導体層２４４は、図２１に示した導体層３５４と共に、図１におけるキャパシタ２５を構成する。
【０１０５】
導体層２４４には、誘電体層２１５〜２１７に形成されたスルーホールを介して、図１９に示した導体層２４３が接続されている。また、導体層２４４には、誘電体層２１０〜２１７に形成されたスルーホールを介して、図１４に示した導体層３３４，４３４が接続されている。誘電体層２１８には、導体層２４４に接続された８つのスルーホールが形成されている。
【０１０６】
図２３に示した１９層目の誘電体層２１９には、誘電体層２１８に形成された８つのスルーホールに接続された８つのスルーホールが形成されている。
【０１０７】
図２４に示したように、誘電体層２１９の下面には、各端子ＡＮＴ１，ＡＮＴ２，ＲＸ１，ＲＸ２，ＴＸ１，ＴＸ２，ＣＴ１，ＣＴ２，Ｇ１〜Ｇ６，ＮＣ１，ＮＣ２を構成する導体層と、グランド用導体層２４５とが形成されている。導体層２４５には、誘電体層２１８，２１９に形成されたスルーホールを介して、図２２に示した導体層２４４が接続されている。
【０１０８】
図２５は、積層基板２００の内部において、第１の受信信号、第２の受信信号、第１の送信信号および第２の送信信号の各経路を形成する要素が配置される領域を表している。図２５において、符号２５１は、第１の受信信号の経路を形成する要素が配置される領域を示している。符号２５２は、第２の受信信号の経路を形成する要素が配置される領域を示している。符号２６１は、第１の送信信号の経路を形成する要素が配置される領域を示している。符号２６２は、第２の送信信号の経路を形成する要素が配置される領域を示している。
【０１０９】
図２５に示したように、本実施の形態では、積層基板２００の内部において、第１および第２の受信信号の経路を形成する要素が配置される領域２５１，２５２は互いに分離され、第１および第２の送信信号の経路を形成する要素が配置される領域２６１，２６２は互いに分離されている。
【０１１０】
また、第１および第２の受信信号の経路を形成する要素が配置される領域２５１，２５２と、第１および第２の送信信号の経路を形成する要素が配置される領域２６１，２６２は、互いに分離されている。更に、領域２５１，２５２と、領域２６１，２６２の間には、グランドに接続される導体部２７０が設けられている。導体部２７０は、グランド用導体層２３５〜２４３と、これらに接続されたスルーホールとによって構成されている。
【０１１１】
次に、本実施の形態に係る高周波モジュール１におけるキャパシタ１５，１６，８３，９３の配置に基づく効果について説明する。前述のように、本実施の形態では、直流の通過を阻止するためのキャパシタ１５，８３は、それぞれ、分岐点Ｎ１とＢＰＦ２０の間と、分岐点Ｎ１とＢＰＦ３０の間に配置され、ポートＰ１１と分岐点Ｎ１との間には、直流の通過を阻止するためのキャパシタは配置されていない。同様に、直流の通過を阻止するためのキャパシタ１６，９３は、それぞれ、分岐点Ｎ２とＢＰＦ５０の間と、分岐点Ｎ２とＢＰＦ６０の間に配置され、ポートＰ２１と分岐点Ｎ２との間には、直流の通過を阻止するためのキャパシタは配置されていない。このような構成により、本実施の形態によれば、第１の受信信号の経路の通過特性および第１の送信信号の経路の通過特性が良好になるように、キャパシタ１５，１６のキャパシタンスの値を設定し、第２の受信信号の経路の通過特性および第２の送信信号の経路の通過特性が良好になるように、キャパシタ８３，９３のキャパシタンスの値を設定することが可能になる。その結果、本実施の形態によれば、第１の受信信号、第２の受信信号、第１の送信信号および第２の送信信号の各経路における通過特性が全て良好になるように、回路を設計することができる。以下、このことを、図２６ないし図３０を参照して、詳しく説明する。
【０１１２】
ここでは、本実施の形態に係る高周波モジュール１と比較例の高周波モジュールとで、各信号経路の通過特性を比較する。比較例の高周波モジュールでは、図１におけるキャパシタ１５，１６が除かれ、代わりに、ポートＰ１１と分岐点Ｎ１との間と、ポートＰ２１と分岐点Ｎ２との間に、それぞれ、直流通過阻止用のキャパシタが設けられている。比較例の高周波モジュールのその他の構成は、本実施の形態に係る高周波モジュール１と同様である。
【０１１３】
図２６は、比較例における第１および第２の受信信号の各経路の通過特性（挿入損失の周波数特性）の第１の例を示している。図２６において、符号５１１は、第１の受信信号の経路の通過特性を示している。また、符号５１２は、第２の受信信号の経路の通過特性を示している。第１の受信信号の経路とは、具体的には、アンテナ端子ＡＮＴ１またはアンテナ端子ＡＮＴ２と第１の受信信号端子ＲＸ１との間の信号経路である。第２の受信信号の経路とは、具体的には、アンテナ端子ＡＮＴ１またはアンテナ端子ＡＮＴ２と第２の受信信号端子ＲＸ２との間の信号経路である。
【０１１４】
なお、第１の送信信号の経路の通過特性は、第１の受信信号の経路の通過特性と同様である。また、第２の送信信号の経路の通過特性は、第２の受信信号の経路の通過特性と同様である。第１の送信信号の経路とは、具体的には、アンテナ端子ＡＮＴ１またはアンテナ端子ＡＮＴ２と第１の送信信号端子ＴＸ１との間の信号経路である。第２の送信信号の経路とは、具体的には、アンテナ端子ＡＮＴ１またはアンテナ端子ＡＮＴ２と第２の送信信号端子ＴＸ２との間の信号経路である。
【０１１５】
第１の例では、第２の受信信号の経路の通過特性および第２の送信信号の経路の通過特性が優先的に良好になるように、２つの直流通過阻止用のキャパシタのキャパシタンスの値を設定している。具体的には、第１の例では、このキャパシタンスの値を２．２ｐＦにしている。また、第１の例では、キャパシタンス８３，９３の値を１．１ｐＦにしている。
【０１１６】
図２７は、比較例における第１および第２の受信信号の各経路の通過特性（挿入損失の周波数特性）の第２の例を示している。図２７において、符号５２１は、第１の受信信号の経路の通過特性を示している。また、符号５２２は、第２の受信信号の経路の通過特性を示している。なお、第１の送信信号の経路の通過特性は、第１の受信信号の経路の通過特性と同様である。また、第２の送信信号の経路の通過特性は、第２の受信信号の経路の通過特性と同様である。第２の例では、第１の受信信号の経路の通過特性および第１の送信信号の経路の通過特性が優先的に良好になるように、２つの直流通過阻止用のキャパシタのキャパシタンスの値を設定している。具体的には、第２の例では、このキャパシタンスの値を１５ｐＦにしている。また、第２の例では、キャパシタンス８３，９３の値を１．１ｐＦにしている。
【０１１７】
図２８は、比較例における第１および第２の受信信号の各経路の通過特性（挿入損失の周波数特性）の第３の例を示している。図２８において、符号５３１は、第１の受信信号の経路の通過特性を示している。また、符号５３２は、第２の受信信号の経路の通過特性を示している。なお、第１の送信信号の経路の通過特性は、第１の受信信号の経路の通過特性と同様である。また、第２の送信信号の経路の通過特性は、第２の受信信号の経路の通過特性と同様である。第３の例では、第１の受信信号の経路の通過特性および第１の送信信号の経路の通過特性と、第２の受信信号の経路の通過特性および第１の送信信号の経路の通過特性とのバランスが取れるように、２つの直流通過阻止用のキャパシタのキャパシタンスの値を設定している。具体的には、第３の例では、このキャパシタンスの値を１０ｐＦにしている。また、第３の例では、キャパシタンス８３，９３の値を１．１ｐＦにしている。
【０１１８】
図２９は、本実施の形態における第１および第２の受信信号の各経路の通過特性（挿入損失の周波数特性）の一例を示している。図２９において、符号５４１は、第１の受信信号の経路の通過特性を示している。また、符号５４２は、第２の受信信号の経路の通過特性を示している。なお、第１の送信信号の経路の通過特性は、第１の受信信号の経路の通過特性と同様である。また、第２の送信信号の経路の通過特性は、第２の受信信号の経路の通過特性と同様である。この例では、第１の受信信号の経路の通過特性および第１の送信信号の経路の通過特性が良好になるように、キャパシタ１５，１６のキャパシタンスの値を設定している。具体的には、この例では、キャパシタンス１５，１６の値を１５ｐＦにしている。また、この例では、第２の受信信号の経路の通過特性および第２の送信信号の経路の通過特性が良好になるように、キャパシタ８３，９３のキャパシタンスの値を設定している。具体的には、この例では、キャパシタンス８３，９３の値を１．１ｐＦにしている。
【０１１９】
図３０は、図２６ないし図２９に示した各特性のうち、第１および第２の周波数帯域およびそれらの近傍の帯域における部分を拡大して示している。図３０において、符号６１１で示す点線は、比較例の第１の例における第１の受信信号の経路の通過特性を表している。符号６１２で示す点線は、比較例の第１の例における第２の受信信号の経路の通過特性を表している。符号６２１で示す破線は、比較例の第２の例における第１の受信信号の経路の通過特性を表している。符号６２２で示す破線は、比較例の第２の例における第２の受信信号の経路の通過特性を表している。符号６３１で示す一点鎖線は、比較例の第３の例における第１の受信信号の経路の通過特性を表している。符号６３２で示す一点鎖線は、比較例の第３の例における第２の受信信号の経路の通過特性を表している。符号６４１で示す実線は、本実施の形態の一例における第１の受信信号の経路の通過特性を表している。符号６４２で示す実線は、本実施の形態の一例における第２の受信信号の経路の通過特性を表している。
【０１２０】
図３０から以下のことが分かる。比較例の第１の例では、第２の受信信号および第２の送信信号の各経路の第２の周波数帯域における挿入損失は小さいが、第１の受信信号および第１の送信信号の各経路の第１の周波数帯域における挿入損失は、他の例に比べて大きい。比較例の第２の例では、第１の受信信号および第１の送信信号の各経路の第１の周波数帯域における挿入損失は小さいが、第２の受信信号および第２の送信信号の各経路の第２の周波数帯域における挿入損失は、他の例に比べて大きい。比較例の第３の例では、第１の受信信号および第１の送信信号の各経路の第１の周波数帯域における挿入損失と、第２の受信信号および第２の送信信号の各経路の第２の周波数帯域における挿入損失は、いずれも、第１の例と第２の例の中間的な値である。本実施の形態の例では、第１の受信信号および第１の送信信号の各経路の第１の周波数帯域における挿入損失は、比較例の第２の例と同程度に小さく、第２の受信信号および第２の送信信号の各経路の第２の周波数帯域における挿入損失は、比較例の第１の例と同程度に小さい。これらのことから、本実施の形態によれば、第１の受信信号、第２の受信信号、第１の送信信号および第２の送信信号の各経路における通過特性が全て良好になるように、回路を設計することができることが分かる。
【０１２１】
次に、本実施の形態に係る高周波モジュール１の他の効果について説明する。本実施の形態に係る高周波モジュール１では、ダイプレクサ１１はＢＰＦ２０，３０を有し、ダイプレクサ１２はＢＰＦ５０，６０を有している。ＢＰＦを用いずに、ハイパスフィルタおよびローパスフィルタを用いてダイプレクサ１１，１２を構成することも可能である。しかし、この場合には、高周波モジュール１に接続される回路において多くのフィルタが必要になったり、高周波モジュール１に接続される回路に設けられるフィルタに要求される条件が厳しくなったりする。これに対し、本実施の形態によれば、ＢＰＦを用いてダイプレクサ１１，１２を構成することにより、高周波モジュール１に接続される回路に設けられるフィルタの数を少なくしたり、高周波モジュール１に接続される回路に設けられるフィルタに要求される条件を緩和したりすることができる。
【０１２２】
また、各ＢＰＦ２０，３０，５０，６０は共振回路を用いて構成されている。ＢＰＦは、ハイパスフィルタとローパスフィルタとを組み合わせて構成することも可能である。しかし、この場合には、ＢＰＦを構成する素子数が多くなったり、ＢＰＦの特性の調整が難しくなったりする。これに対し、本実施の形態によれば、各ＢＰＦ２０，３０，５０，６０が共振回路を用いて構成されているので、ＢＰＦ２０，３０，５０，６０を構成する素子数が少なくなり、且つＢＰＦ２０，３０，５０，６０の特性の調整が容易になる。
【０１２３】
また、スイッチ回路１０とダイプレクサ１１，１２は、積層基板２００によって一体化されている。これにより、高周波モジュール１の実装面積を小さくすることができる。例えば、縦３．２ｍｍ、横１．６ｍｍの大きさの単体のダイプレクサを２個と、縦３．０ｍｍ、横３．０ｍｍの大きさの単体のスイッチとを、基板に実装して高周波モジュールを構成した場合には、ランドも含めた高周波モジュールの実装面積は、約２３ｍｍ２となる。これに対し、本実施の形態によれば、ランドも含めた高周波モジュール１の実装面積は、約１６ｍｍ２となる。従って、本実施の形態によれば、２個の単体のダイプレクサと単体のスイッチとを基板に実装して高周波モジュールを構成した場合に比べて、実装面積を約３０％減らすことができる。
【０１２４】
また、本実施の形態によれば、２個の単体のダイプレクサと単体のスイッチとを基板に実装して高周波モジュールを構成する場合に比べて、部品の実装のための工程数が少なくなり、実装に要するコストを低減することができる。
【０１２５】
以上のことから、本実施の形態によれば、無線ＬＡＮ用の通信装置に用いられ、複数の周波数帯域の送信信号および受信信号を処理でき、且つ小型化が可能な高周波モジュール１を実現することができる。
【０１２６】
また、本実施の形態に係る無線ＬＡＮ用の高周波モジュール１は、主に、ノート型パーソナルコンピュータ等、小型化または低背化が必要な機器に搭載される。そのため、高周波モジュール１の大きさは、縦５ｍｍ以下、横４ｍｍ以下、高さ２ｍｍ以下であることが好ましい。
【０１２７】
また、高周波モジュール１は、２つのアンテナ端子ＡＮＴ１，ＡＮＴ２を備え、スイッチ回路１０は、ダイプレクサ１１，１２のいずれかを、アンテナ端子ＡＮＴ１，ＡＮＴ２のいずれかに接続する。従って、本実施の形態によれば、ダイバシティに対応した高周波モジュール１を実現することができる。
【０１２８】
また、高周波モジュール１において、構成要素を一体化する基板は、交互に積層された誘電体層と導体層とを含む積層基板２００であり、ＢＰＦ２０，３０，５０，６０を構成する共振回路は、誘電体層と導体層を用いて構成されている。これにより、本実施の形態によれば、高周波モジュール１をより小型化することができる。
【０１２９】
また、本実施の形態では、各共振回路は、導体層を用いて構成された分布定数線路を含んでいる。これにより、本実施の形態によれば、以下の効果を奏する。無線ＬＡＮ用の高周波回路部には、各信号の経路における通過特性として、通過帯域外の周波数領域における減衰が大きいことが要求される傾向にある。この要求を満足するためには、ＢＰＦ２０，３０，５０，６０の挿入損失の周波数特性は、通過帯域と通過帯域外の周波数領域との境界近傍において、挿入損失が急峻に変化する特性であることが望まれる。このような特性を、集中定数素子のみによって構成されたＢＰＦによって実現しようとすると、フィルタの次数を多くしなければならない。そのすると、ＢＰＦを構成する素子の数が多くなる。その結果、高周波モジュールの小型化が困難になったり、調整する素子の数が多いことからＢＰＦの所望の特性を実現することが難しくなったりする。これに対し、本実施の形態のように、ＢＰＦ２０，３０，５０，６０を構成する共振回路が分布定数線路を含んでいる場合には、ＢＰＦを集中定数素子のみによって構成する場合に比べて、素子の数を少なくすることができると共に、所望の特性を実現するための調整が容易になる。従って、本実施の形態によれば、高周波モジュール１をより小型化することが可能になると共に、容易にＢＰＦ２０，３０，５０，６０の所望の特性を実現することが可能になる。
【０１３０】
また、本実施の形態では、各共振回路は、導体層を用いて構成されインダクタンスを有する伝送線路を含んでいる。ＢＰＦ２０における共振回路に含まれる伝送線路２１，２４（導体層３３６，３３７）の長手方向とＢＰＦ３０における共振回路に含まれる伝送線路３１，３４（導体層３３４，３３５）の長手方向が直交している。これにより、伝送線路２１，２４（導体層３３６，３３７）と伝送線路３１，３４（導体層３３４，３３５）との間における電磁気的な結合の発生を防止でき、その結果、ＢＰＦ２０とＢＰＦ３０との間における電磁気的な干渉の発生を防止することができる。
【０１３１】
同様に、ＢＰＦ５０における共振回路に含まれる伝送線路５１，５４（導体層４３６，４３７）の長手方向とＢＰＦ６０における共振回路に含まれる伝送線路６１，６４（導体層４３４，４３５）の長手方向が直交している。これにより、伝送線路５１，５４（導体層４３６，４３７）と伝送線路６１，６４（導体層４３４，４３５）との間における電磁気的な結合の発生を防止でき、その結果、ＢＰＦ５０とＢＰＦ６０との間における電磁気的な干渉の発生を防止することができる。
【０１３２】
また、図２５に示したように、本実施の形態では、積層基板２００は、ダイプレクサ１１に含まれる全ての共振回路とダイプレクサ１２に含まれる全ての共振回路との間に配置されると共にグランドに接続される導体部２７０を含んでいる。これにより、本実施の形態によれば、ダイプレクサ１１とダイプレクサ１２との間における電磁気的な干渉の発生を防止することができる。
【０１３３】
また、図２５に示したように、本実施の形態では、積層基板２００の内部において、第１および第２の受信信号の経路を形成する要素が配置される領域２５１，２５２は互いに分離されている。これにより、本実施の形態によれば、第１の受信信号の経路と第２の受信信号の経路との間における電磁気的な干渉の発生を防止することができる。
【０１３４】
同様に、積層基板２００の内部において、第１および第２の送信信号の経路を形成する要素が配置される領域２６１，２６２は互いに分離されている。これにより、本実施の形態によれば、第１の送信信号の経路と第２の送信信号の経路との間における電磁気的な干渉の発生を防止することができる。
【０１３５】
また、本実施の形態では、スイッチ回路１０は積層基板２００に搭載され、積層基板２００の導体層は、スイッチ回路１０と全ての共振回路との間に配置されると共にグランドに接続されるグランド用導体層２３３，２３４（図７参照。）を含んでいる。これにより、本実施の形態によれば、スイッチ回路１０とダイプレクサ１１，１２との間における電磁気的な干渉の発生を防止することができる。
【０１３６】
また、本実施の形態では、ダイプレクサ１１は、ＢＰＦ３０に直列に接続され、第２の周波数帯域における受信信号を通過させるＬＰＦ４０を有している。また、ダイプレクサ１２は、ＢＰＦ６０に直列に接続され、第２の周波数帯域における送信信号を通過させるＬＰＦ７０を有している。ＢＰＦ３０，６０において、共振回路の段数を多くすれば、第２の周波数帯域外における挿入損失を増加させることができるが、第２の周波数帯域における挿入損失も増加してしまう。これに対し、本実施の形態によれば、第２の周波数帯域における受信信号および送信信号の各経路において、第２の周波数帯域における挿入損失の増加を抑制しながら、第２の周波数帯域よりも高周波側における挿入損失を増加させることができる。
【０１３７】
なお、本実施の形態において、積層基板２００としては、誘電体層の材料として樹脂、セラミック、あるいは両者を複合した材料を用いたもの等、種々のものを用いることができる。しかし、積層基板２００としては、特に、高周波特性に優れた低温同時焼成セラミック多層基板を用いることが好ましい。そして、この低温同時焼成セラミック多層基板を用いた積層基板２００には、図５ないし図２４を用いて説明したように、少なくとも、ダイプレクサ１１，１２を構成する複数のインダンタクス素子（インダクタンスを有する伝送線路およびインダクタ）およびキャパシタンス素子（キャパシタ１５，１６を除くキャパシタ）が内蔵されていることが好ましい。更に、スイッチ回路１０は、ＧａＡｓ化合物半導体による電界効果トランジスタを用いて構成されて、図２に示したように、低温同時焼成セラミック多層基板を用いた積層基板２００に搭載されていることが好ましい。また、図２に示したように、低温同時焼成セラミック多層基板を用いた積層基板２００の外周面には、スイッチ回路１０をアンテナに接続するためのアンテナ端子ＡＮＴ１，ＡＮＴ２と、ダイプレクサ１１，１２を外部回路に接続するための受信信号端子ＲＸ１，ＲＸ２および送信信号端子ＴＸ１，ＴＸ２と、制御端子ＣＴ１，ＣＴ２と、グランドに接続されるグランド端子Ｇ１〜Ｇ６とを含む複数の端子が設けられていることが好ましい。
【０１３８】
なお、本発明は、上記実施の形態に限定されず、種々の変更が可能である。例えば、ＢＰＦを用いずに、ハイパスフィルタおよびローパスフィルタを用いてダイプレクサ１１，１２を構成してもよい。
【０１３９】
また、実施の形態では、第１の受信信号と第２の受信信号を分離するダイプレクサ１１と、第１の送信信号と第２の送信信号を分離するダイプレクサ１２とが設けられている。しかし、ダイプレクサ１１，１２の代わりに、第１の受信信号と第２の送信信号を分離するダイプレクサと、第１の送信信号と第２の受信信号を分離するダイプレクサとを設けてもよい。
【０１４０】
また、２つのアンテナ端子ＡＮＴ１，ＡＮＴ２の代わりに１つのアンテナ端子を設け、スイッチ回路１０の代わりに、ダイプレクサ１１，１２のいずれかを１つのアンテナ端子に選択的に接続するスイッチ回路を設けてもよい。
【図面の簡単な説明】
【０１４１】
【図１】本発明の一実施の形態に係る高周波モジュールを示す回路図である。
【図２】本発明の一実施の形態に係る高周波モジュールの外観を示す斜視図である。
【図３】本発明の一実施の形態に係る高周波モジュールの平面図である。
【図４】本発明の一実施の形態に係る高周波モジュールが利用される無線ＬＡＮ用の通信装置における高周波回路部の構成の一例を示すブロック図である。
【図５】図３に示した積層基板における１層目の誘電体層の上面を示す平面図である。
【図６】図３に示した積層基板における２層目の誘電体層の上面を示す平面図である。
【図７】図３に示した積層基板における３層目の誘電体層の上面を示す平面図である。
【図８】図３に示した積層基板における４層目の誘電体層の上面を示す平面図である。
【図９】図３に示した積層基板における５層目の誘電体層の上面を示す平面図である。
【図１０】図３に示した積層基板における６層目の誘電体層の上面を示す平面図である。
【図１１】図３に示した積層基板における７層目の誘電体層の上面を示す平面図である。
【図１２】図３に示した積層基板における８層目の誘電体層の上面を示す平面図である。
【図１３】図３に示した積層基板における９層目の誘電体層の上面を示す平面図である。
【図１４】図３に示した積層基板における１０層目の誘電体層の上面を示す平面図である。
【図１５】図３に示した積層基板における１１層目の誘電体層の上面を示す平面図である。
【図１６】図３に示した積層基板における１２層目の誘電体層の上面を示す平面図である。
【図１７】図３に示した積層基板における１３層目の誘電体層の上面を示す平面図である。
【図１８】図３に示した積層基板における１４層目の誘電体層の上面を示す平面図である。
【図１９】図３に示した積層基板における１５層目の誘電体層の上面を示す平面図である。
【図２０】図３に示した積層基板における１６層目の誘電体層の上面を示す平面図である。
【図２１】図３に示した積層基板における１７層目の誘電体層の上面を示す平面図である。
【図２２】図３に示した積層基板における１８層目の誘電体層の上面を示す平面図である。
【図２３】図３に示した積層基板における１９層目の誘電体層の上面を示す平面図である。
【図２４】図３に示した積層基板における１９層目の誘電体層およびその下の導体層を示す平面図である。
【図２５】図３に示した積層基板の内部において、第１の受信信号、第２の受信信号、第１の送信信号および第２の送信信号の各経路を形成する要素が配置される領域を表す説明図である。
【図２６】比較例における通過特性の第１の例を示す特性図である。
【図２７】比較例における通過特性の第２の例を示す特性図である。
【図２８】比較例における通過特性の第３の例を示す特性図である。
【図２９】本発明の一実施の形態における通過特性の一例を示す特性図である。
【図３０】図２６ないし図２９に示した各特性の一部を拡大して示す特性図である。
【符号の説明】
【０１４２】
１…高周波モジュール、１０…スイッチ回路、１１，１２…ダイプレクサ、１５，１６…キャパシタ、２０，３０，５０，６０…ＢＰＦ、４０，７０…ＬＰＦ、８３，９３…キャパシタ、２００…積層基板。
【図１】
2006140863.tif 000003
【図２】
2006140863.tif 000004
【図３】
2006140863.tif 000005
【図４】
2006140863.tif 000006
【図５】
2006140863.tif 000007
【図６】
2006140863.tif 000008
【図７】
2006140863.tif 000009
【図８】
2006140863.tif 000010
【図９】
2006140863.tif 000011
【図１０】
2006140863.tif 000012
【図１１】
2006140863.tif 000013
【図１２】
2006140863.tif 000014
【図１３】
2006140863.tif 000015
【図１４】
2006140863.tif 000016
【図１５】
2006140863.tif 000017
【図１６】
2006140863.tif 000018
【図１７】
2006140863.tif 000019
【図１８】
2006140863.tif 000020
【図１９】
2006140863.tif 000021
【図２０】
2006140863.tif 000022
【図２１】
2006140863.tif 000023
【図２２】
2006140863.tif 000024
【図２３】
2006140863.tif 000025
【図２４】
2006140863.tif 000026
【図２５】
2006140863.tif 000027
【図２６】
2006140863.tif 000028
【図２７】
2006140863.tif 000029
【図２８】
2006140863.tif 000030
【図２９】
2006140863.tif 000031
【図３０】
2006140863.tif 000032